(57)【要約】 【課題】従来、フリック入力とはスマートフォンなどで仮名によるテンキーの少数キーで効率よく日本語を入力できるよう考案されたものだがキー数が少なく一回のフリック操作では清音しか選択できなかった。【解決手段】  クオーティー配列のキーボートの清音、濁音、半濁音を含む各行の仮名文字を該当する子音英字から直にフリックで選択したり、子音英字キー周囲にフリック操作により母音英字を選択することで、該子音英字と選択された母音英字の仮名文字が一回のフリック操作で入力でき従来のローマ字入力を妨げることなく併用しながら入力できる。【選択図】  図３０
2014232529.tif 000002
【特許請求の範囲】
【請求項１】
日本語のローマ字入力又は、仮名漢字変換方法の実施によりカーソルが文字の入力待ち状態から、タップ（押下げ）によるキーに割り当てられた文字の選択、フリックによるキー周囲に潜在的に存在する文字の選択、スライドによるキー周囲とその外周に潜在的に存在する文字の選択等の操作可能な子音英字キーを操作すると表示されている、該子音英字キーの子音英字か、該子音英字と「Ａ」の母音英字から成る仮名文字がカーソルに一時転送され、タップ（押下げ）、フリック、スライド等の操作により選択する対象文字の位置及び方向等を画面上に表示し、該操作がタップの時は転送された文字が子音英字の場合該子音英字を表示し「Ａ」の英字をカーソルに表示するかフリックガイドで指定された文字をカーソルに表示する、該操作がフリック又はスライドの時は転送された文字が子音英字の場合、該子音英字を表示し選択された母音英字をカーソルに表示するか選択された仮名の母音英字をカーソルに表示するかフリックガイドで指定された文字をカーソルに表示する機能を任意による組合せにより実施する事を特徴とする子音英字キーからの母音英字及び仮名によるフリック操作方法。
【請求項２】
日本語のローマ字入力において英字からの仮名変換処理後に、カーソル上で子音英字が３文字連続して表示された場合に先に入力された子音英字に「Ａ」の母音英字を合わせた仮名に変換する事と仮名と仮名に挟まれた一文字の子音英字があった場合に該子音英字に「Ａ」の母音英字を合わせた仮名に変換する機能を実施する請求項１における子音英字キーからの母音英字及び仮名によるフリック操作方法。
【発明の詳細な説明】
【技術分野】
【０００１】
本発明は、英字キーによる日本語入力に関するものである。
【背景技術】
【０００２】
従来の日本語によるローマ字入力は、一般的にクウォーティー（ＱＷＥＲＴＹ）配列による英字のキーボード、子音と母音の英字から成るキーボード等からローマ字綴りの読み順で子音、母音の英字がカーソルに転送されるなか、仮名変換処理機能から仮名漢字変換方法により日本語の入力をしていて、一部のソフト英字キーから該当する英字の小文字、大文字、記号等をフリック操作により一文字を入力していた。
【０００３】
日本語入力方式としてのフリック入力及びジェスチャー入力とは、タッチパネル上にテンキー風に配置された五十音配列の各行の「あ」段の１０文字「あ、か、さ、た、な、は、ま、や、ら、わ」が表示されたキーの周囲又は、キー上部に十字方向（フリックガイド）に「い」段、「う」段、「え」段、「お」段の4段が潜在的に配置されており、「あ」段表示のキーをタップ又は、フリック（弾く）かスライドさせることで、清音の仮名一文字を入力する方法や、各キーに花びら状（ジェスチャーガイド、フラワータッチ）に各行と小文字表記が表示され画面上を上下にスライドしたりフリックすることで仮名の一文字を入力する方法があった。
【０００４】
五十音配列の各行の「あ」段の仮名がタッチパネル上で携帯電話のテンキーのように表示された各キーに各行の５文字を定義し、キーの接触による選択後の解放又は、接触しながら前後左右の移動操作後の解放により仮名の清音１文字を入力する方法が知られている（特許文献１参照）。
【０００５】
タッチパネル上に濁音、半濁音を含む子音読みの英字キーを配置し、該当するキーに子音から成る行の５個の大文字をキー内のタッチペン操作により仮名の一文字を選択する入力方法が知られている（特許文献２参照）。
【０００６】
【特許文献１】特開２０００−１１２６３６号公報
【特許文献２】特開平８−２７２７８７号公報
【発明の概要】
【発明が解決しようとする課題】
【０００７】
（１）タッチパネル上の操作における「タップ」とはキーに接触して離す動作とする。
（２）「フリック」とはキーに接触しながら一方向に弾く又は移動して離す動作とする。
（３）「スライド」とはキーに接触し（押下げ）ながら目的の位置（キー）まで移動して離す動作とする。
（４）パソコン等のキーボード装置の操作における「押下げ」とはキーを押して離す動作とする。
（５）「フリックガイド」とはキーの接触により、該キーに関連する行の「あ」段の文字を中心に「い、う、え、お」段の文字が周囲に表示された表示物で、ジェスチャーガイド、フラワータッチ等も含み、タップ、フリック、スライドなどの位置、方向等を案内する物でフリックガイドを表示する機能を「フリックガイド機能」としキー操作後非表示になる。
（６）キー操作によりキー情報がカーソルに転送され文字が表示される事を「カーソルに表示」とし、該カーソルに表示された文字が確定され次の文字入力を待つ状態を「入力待ち状態」とする。
（７）「テンキー」とは電話をかけるプッシュホンキーの別名で１２個（１、２、３、４、５、６、７、８、９、０、＊、♯）のキーから成るが「仮名テンキー」とは文字入力用として、該テンキーに五十音配列の「あ」段の文字を振り分けたキーボードとする。
（８）クウォーティー配列のローマ字入力用のキーボードを「ローマ字キー」とする。
（９）濁音、半濁音を含む子音の英字読みの出来る英字（Ｋ、Ｇ、Ｓ、Ｚ、Ｔ、Ｄ、Ｎ、Ｈ、Ｂ、Ｐ、Ｍ、Ｙ、Ｒ、Ｗ）キーを「子音英字キー」とし、母音の英字読みの出来る英字（Ａ、Ｉ、Ｕ、Ｅ、Ｏ）キーを「母音英字キー」とする。
（１０）          「フリック機能」とは、選択するキー及び該キー周囲に選択可能な文字を潜在的に配置し、タップ、フリックなどの操作により選択された文字がカーソルに表示され、入力待ち状態になる機能である。
（１１）          「スライド機能」とは、選択するキー周囲又は周辺と外周に選択可能な文字を潜在的に配置し、スライドなどの操作により該当する文字が選択されカーソルに表示され、入力待ち状態になる機能である。
（１２）          タッチパネル等に表示されている入力キーをソフトキーとし、パソコン等に接続されている装置のキーボード等をハードキーとする。
【０００８】
従来のローマ字入力は、母音と「ん」の６文字以外の仮名選択には２回以上のタップ（押下げ）操作を必要とした。
【０００９】
従来の仮名テンキーによる日本語のフリック入力又はジェスチャー入力は清音の一文字だけの入力で、濁点、半濁点に変更するには専用キーにより１回ないし２回のタップ又は、1回のフリック操作を必要とした。
【００１０】
タッチパネル上に子音英字キーを配置してタッチペンでの入力は、子音読みの英字キー配列を新しく覚えなくてはならないし、数字等の入力キーも切り替え用のキー等も無く実用的ではないし、キーが小さいのでキー内における指での操作は不可能である。
【００１１】
フリック、スライド入力はタッチパネル上以外で実施する方法が無かった。
【課題を解決するための手段】
【００１２】
現在、仮名漢字変換方法による、英字キー入力から仮名への変換方式によるローマ字入力の実施におけるＪＩＳ規格廃止により、個別による英字キー入力から仮名への変換方式が実装されているが、個別の規定に準じた仮名変換方式を基本的に継承し以下を具備するが、本発明ではＪＩＳ規格のＪＩＳ  Ｘ  ４０６３：２０００を基準として説明する。
【００１３】
子音英字キーがタッチパネル上の端っこに表示されてフリック及びスライド操作が出来ない時は、一部又は全体を縮小し、周辺に余白を設けることでフリック及びスライド操作を可能にする。
【００１４】
上記記載の英字キーボードによるローマ字入力又は、仮名漢字変換方法による入力の待ち受け状態から。
（１）子音英字キー操作により該当する子音英字か、該子音英字に「Ａ」の母音英字から成る仮名文字を一時カーソルに転送する機能。
（２）子音英字キー操作によるタップ（押下げ）、フリック、スライド等により選択する操作対象文字の位置及び方向等を画面上に表示する機能（フリックガイド）。
（３）子音英字キーのタップ（押下げ）により該当する子音英字と「Ａ」の母音英字をカーソルに表示か、該当する子音英字と「Ａ」の母音英字から成る仮名文字をカーソルに表示か、フリックガイドで指定されている文字をカーソルに表示する機能。
（４）子音英字キーのフリック又はスライド操作により該当する子音英字と選択された母音英字をカーソルに表示か、該当する子音英字と選択された仮名の母音英字をカーソルに表示か、フリックガイドで指定されている文字をカーソルに表示する機能。
以上の機能を任意による組合せの実施により英字からの仮名変換処理後に文字が仮名漢字変換され日本語入力ができる。
【００１５】
上記記載の任意による組合せの実施により英字からの仮名変換処理後のカーソル上で、子音英字が３文字連続して表示された場合に最初に入力された子音英字に「Ａ」の母音英字を合わせた仮名に変換、仮名と仮名に挟まれた子音英字があった場合に該子音英字に「Ａ」の母音英字を合わせた仮名に変換する機能を具備することでローマ字入力とフリック入力を併用する。
【００１６】
以上、子音英字キーからの母音英字及び仮名によるフリック操作方法であるが、他の英字キーによるフリック及びスライド操作は任意とする。
【発明の効果】
【００１７】
濁音、半濁音、小文字及び数字等が一回のフリック又はスライド操作により選択できるので、早く入力できる仮名テンキーによる従来のフリック操作よりも、もっと速い文字選択が可能になった。
【００１８】
ローマ字入力キーによるローマ字入力はパソコンの文字入力手段として一般的で、新たに配列などを覚える必要がなく濁音、半濁音、小文字、拗音等の英字から仮名への変換が仮名テンキーによるフリック操作よりも元々便利であったが、本発明により従来の英字から仮名への変換機能を損なうことなく仮名テンキーと同じようなフリック機能を具備することで一層早く日本語の入力が可能になった。
【図面の簡単な説明】
【００１９】
【図１】従来のローマ字入力キーの待受け画面図。
【図２】本発明により表示変更したキーを白抜き表示したローマ字入力キー図。
【図３】本発明によるローマ字入力キーの待受け画面図。
【図４】「Ａ」キー位置に接触した時に表示されるフリックガイドの表示図。
【図５】「Ｋ」キー位置に接触した時に表示されるフリックガイドの表示図。
【図６】「Ｓ」キー位置に接触した時に表示されるフリックガイドの表示図。
【図７】「Ｔ」キー位置に接触した時に表示されるフリックガイドの表示図。
【図８】「Ｎ」キー位置に接触した時に表示されるフリックガイドの表示図。
【図９】「Ｈ」キー位置に接触した時に表示されるフリックガイドの表示図。
【図１０】「Ｍ」キー位置に接触した時に表示されるフリックガイドの表示図。
【図１１】「Ｙ」キー位置に接触した時に表示されるフリックガイドの表示図。
【図１２】「Ｒ」キー位置に接触した時に表示されるフリックガイドの表示図。
【図１３】「Ｗ」キー位置に接触した時に表示されるフリックガイドの表示図。
【図１４】「Ｇ」キー位置に接触した時に表示されるフリックガイドの表示図。
【図１５】「Ｚ」キー位置に接触した時に表示されるフリックガイドの表示図。
【図１６】「Ｄ」キー位置に接触した時に表示されるフリックガイドの表示図。
【図１７】「Ｂ」キー位置に接触した時に表示されるフリックガイドの表示図。
【図１８】「Ｐ」キー位置に接触した時に表示されるフリックガイドの表示図。
【図１９】「Ｌ」キー位置に接触した時に表示されるフリックガイドの表示図。
【図２０】「Ｘ」キー位置に接触した時に表示されるフリックガイドの表示図。
【図２１】「Ｆ」キー位置に接触した時に表示されるフリックガイドの表示図。
【図２２】「Ｃ」キー位置に接触した時に表示されるフリックガイドの表示図。
【図２３】「Ｖ」キー位置に接触した時に表示されるフリックガイドの表示図。
【図２４】「Ｊ」キー位置に接触した時に表示されるフリックガイドの表示図。
【図２５】「Ｑ」キー位置に接触した時に表示されるフリックガイドの表示図。
【図２６】「Ｉ」キー位置に接触した時に表示されるフリックガイドの表示図。
【図２７】「Ｕ」キー位置に接触した時に表示されるフリックガイドの表示図。
【図２８】「Ｅ」キー位置に接触した時に表示されるフリックガイドの表示図。
【図２９】「Ｏ」キー位置に接触した時に表示されるフリックガイドの表示図。
【図３０】縦用ローマ字キーからＫからＥのフリック操作の説明図。
【図３１】縦用ローマ字キーからＮとＫのタップ操作の説明図。
【図３２】縦用ローマ字キーからＹからＵにフリック操作の説明図。
【図３３】縦用ローマ字キーからＵのタップと仮名変換の説明図。
【図３４】縦用ローマ字キーからＪのタップとＹからＯにフリック操作の説明図。
【図３５】縦用ローマ字キーから仮名変換から仮名漢字変換による操作の説明図。
【図３６】横用ローマ字キーからＫの入力の説明図。
【図３７】横用ローマ字キーからＧの入力の説明図。
【図３８】横用ローマ字キーからＹの入力の説明図。
【図３９】横用ローマ字キーから「か」の仮名変換処理の説明図。
【図４０】横用ローマ字キーからＫの入力の説明図。
【図４１】横用ローマ字キーから「が」の仮名変換処理の説明図。
【図４２】横用ローマ字キーから「く」の仮名変換処理の説明図。
【図４３】横用ローマ字キーからＹから「や」への仮名変換処理の説明図。
【図４４】横用ローマ字キーから仮名漢字変換処理の説明図。
【図４５】子音英字キーのキーボード図。
【図４６】子音英字キーのフリックガイド表示図。
【図４７】子音英字キーからＫからＥのフリック操作の説明図。
【図４８】子音英字キーからＮのタップ操作の説明図。
【図４９】子音英字キーからＫのタップ操作の説明図。
【図５０】子音英字キーからＹのフリック操作の説明図。
【図５１】子音英字キーからＳからのスライド操作の説明図。
【図５２】子音英字キーからＺのタップ操作の説明図。
【図５３】子音英字キーからＹのフリック操作の説明図。
【符号の説明】
【００２０】
１  縦用ローマ字キー
２  横用ローマ字キー
３  子音英字キー
【発明を実施するための形態】
【実施例１】
【００２１】
実施例１では仮名漢字変換方法による入力の待ち受け状態から。
（１）子音英字キー操作により該当する子音英字に「Ａ」の母音英字から成る仮名文字を一時カーソルに転送する機能。
（２）子音英字キー操作によるタップ（押下げ）、フリック、スライド等により選択する操作対象文字の位置及び方向等を画面上に表示する機能（フリックガイド）。
（３）子音英字キーのタップ（押下げ）によりフリックガイドで指定されている文字をカーソルに表示する機能。
（４）子音英字キーのフリック操作によりフリックガイドで指定されている文字をカーソルに表示する機能。
以上の機能を実施し、他の英字キーから仮名、記号等を選択できるフリック機能を具備し、選択された文字がカーソルに表示されて仮名漢字変換により日本語入力ができる。
【００２２】
以下、キーに接触することで、該キーに予め定められたフリックガイドが表示され、該表示された文字がタップ、フリック操作により選択されカーソルに表示される。
【００２３】
図１は従来のタッチパネル上の一部に表示されたローマ字入力用のキーボードで、英字と長音記号が白抜きで表示され、入力を待っている待受け画面である。
【００２４】
図２は図１の待受け画面を参考に、フリック操作ができるよう、全体のキーを左右に縮小して中央に寄せた図で、母音と子音の英字以外の白抜きされたキーの表示を下記のように変更した。
（イ）従来の「Ｌ」のキー位置に図のように「小」「ぁ」「行」の文字を表示した。
（ロ）従来の「Ｘ」のキー位置に図のように「小」「っ」「ゃ」「行」の文字を表示した。
（ハ）従来の「Ｑ」のキー位置に図のように「、」「。」「？」「！」の文字を表示した。
（ニ）従来の「Ｆ」のキー位置に図のように「１」「２」「３」の文字を表示した。
（ホ）従来の「Ｃ」のキー位置に図のように「４」「５」「６」の文字を表示した。
（ヘ）従来の「Ｖ」のキー位置に図のように「７」「８」「９」の文字を表示した。
（ト）従来の「Ｊ」のキー位置に図のように「．」「０」「％」の文字を表示した。
図３は図２のキーボードによる待受け画面で、待受けのキーが白抜きで示されている。
【００２５】
以下は、図３に表示された待受け画面からフリック入力を実施しようと対象の文字を選択して接触することによりフリックガイドが表示された図で、フリックガイドで表示された文字がタップ及びフリック操作で選択されカーソルに表示される。
（１） 図４は「Ａ」のキー位置に、仮名テンキーの「あ」キーからのフリックガイドを表示し、フリック機能により該キーの行の仮名が選択される。
（２） 図５は「Ｋ」のキー位置に、仮名テンキーの「か」キーからのフリックガイドを表示し、フリック機能により該キーの行の仮名が選択される。
（３） 図６は「Ｓ」のキー位置に、仮名テンキーの「さ」キーからのフリックガイドを表示し、フリック機能により該キーの行の仮名が選択される。
（４） 図７は「Ｔ」のキー位置に、仮名テンキーの「た」キーからのフリックガイドを表示し、フリック機能により該キーの行の仮名が選択される。
（５） 図８は「Ｎ」のキー位置に、仮名テンキーの「な」キーからのフリックガイドを表示し、フリック機能により該キーの行の仮名が選択される。
（６） 図９は「Ｈ」のキー位置に、仮名テンキーの「は」キーからのフリックガイドを表示し、フリック機能により該キーの行の仮名が選択される。
（７） 図１０は「Ｍ」のキー位置に、仮名テンキーの「ま」キーからのフリックガイドを表示し、フリック機能により該キーの行の仮名が選択される。
（８） 図１１は「Ｙ」のキー位置に、仮名テンキーの「や」キーからのフリックガイドを表示し、フリック機能により該キーの行の仮名が選択される。
（９） 図１２は「Ｒ」のキー位置に、仮名テンキーの「ら」キーからのフリックガイドを表示し、フリック機能により該キーの行の仮名が選択される。
（１０） 図１３は「Ｗ」のキー位置に、仮名テンキーの「わ」キーからのフリックガイドを表示し、フリック機能により該キーの行の仮名が選択される。
（１１） 図１４は「Ｇ」のキー位置に濁音の「が」行が表示されたフリックガイドでフリック機能により、該行の仮名が選択される。
（１２） 図１５は「Ｚ」のキー位置に濁音の「ざ」行が表示されたフリックガイドでフリック機能により、該行の仮名が選択される。
（１３） 図１６は「Ｄ」のキー位置に濁音の「だ」行が表示されたフリックガイドでフリック機能により、該行の仮名が選択される。
（１４） 図１７は「Ｂ」のキー位置に濁音の「ば」行が表示されたフリックガイドでフリック機能により、該行の仮名が選択される。
（１５） 図１８は「Ｐ」のキー位置に半濁音の「ぱ」行が表示されたフリックガイドでフリック機能により、該行の仮名が選択される。
（１６） 図１９は「Ｌ」のキー位置に小文字の「あ」行が表示されたフリックガイドでフリック機能により、該行の仮名が選択される。
（１７） 図２０は「Ｘ」のキー位置に小文字による「つ」と「や」行が表示されたフリックガイドでフリック機能により、該小文字の「つ」と「や」行の仮名が選択される。
（１８） 図２１は「Ｆ」のキー位置に「１」「２」「３」の数値が表示されたフリックガイドでフリック機能により、該数値が選択される。
（１９） 図２２は「Ｃ」のキー位置に「４」「５」「６」の数値が表示されたフリックガイドでフリック機能により、該数値が選択される。
（２０） 図２３は「Ｖ」のキー位置に「７」「８」「９」の数値が表示されたフリックガイドでフリック機能により、該数値が選択される。
（２１） 図２４は「Ｊ」のキー位置に「．」「０」「％」の記号が表示されたフリックガイドでフリック機能により、該記号等が選択される。
（２２） 図２５は「Ｑ」のキー位置に、仮名テンキーの「♯」キーからのフリックガイドを表示し、フリック機能により「、」、「。」、「？」、「！」の記号等が選択される。
（２３） 図２６は「Ｉ」のキー位置に母音の「い」と小文字の「ぃ」がフリックガイドとして表示され、フリック機能により「い」と小文字の「ぃ」が選択される。
（２４） 図２７は「Ｕ」のキー位置に母音の「う」と小文字の「ぅ」がフリックガイドとして表示され、フリック機能により「う」と小文字の「ぅ」が選択される。
（２５） 図２８は「Ｅ」のキー位置に母音の「え」と小文字の「ぇ」が表示されたフリックガイドでフリック機能により、該「え」と小文字の「ぇ」の文字が選択される（は）。
（２６） 図２９は「Ｏ」のキー位置に「を」と母音の「お」と小文字の「ぉ」が表示されたフリックガイドでフリック機能により、該「を」と母音の「お」と小文字の「ぉ」が選択される。
以上、各キーによるフリック機能により清音、濁音、半濁音、小文字のすべての五十音の仮名と数字が選択可能で仮名漢字変換方法により日本語の入力ができる。
【００２６】
上記で記載された英字キーによるフリック操作と従来の仮名テンキーによる操作の過程を比較した説明を以下に示す
（１） 本発明での「あ」行の選択はキー位置が「Ａ」のフリック操作であるがテンキーでは「１」のフリック操作である。
（２） 本発明での「か」行の選択はキー位置が「Ｋ」のフリック操作であるがテンキーでは「２」のフリック操作である。
（３） 本発明での「さ」行の選択はキー位置が「Ｓ」のフリック操作であるがテンキーでは「３」のフリック操作である。
（４） 本発明での「た」行の選択はキー位置が「Ｔ」のフリック操作であるがテンキーでは「４」のフリック操作である。
（５） 本発明での「な」行の選択はキー位置が「Ｎ」のフリック操作であるがテンキーでは「５」のフリック操作である。
（６） 本発明での「は」行の選択はキー位置が「Ｈ」のフリック操作であるがテンキーでは「６」のフリック操作である。
（７） 本発明での「ま」行の選択はキー位置が「Ｍ」のフリック操作であるがテンキーでは「７」のフリック操作である。
（８） 本発明での「や」行の選択はキー位置が「Ｙ」のフリック操作であるがテンキーでは「８」のフリック操作である。
（９） 本発明での「ら」行の選択はキー位置が「Ｒ」のフリック操作であるがテンキーでは「９」のフリック操作である。
（１０）          本発明での「わ」行の選択はキー位置が「Ｗ」のフリック操作であるがテンキーでは「０」のフリック操作である。
（１１）          本発明での「が」行の選択はキー位置が「Ｇ」のフリック操作であるがテンキーでは「２」のフリック操作と「＊」にタップ操作である。
（１２）          本発明での「ざ」行の選択はキー位置が「Ｚ」のフリック操作であるがテンキーでは「３」のフリック操作と「＊」にタップ操作である。
（１３）          本発明での「だ」行の選択はキー位置が「Ｄ」のフリック操作であるがテンキーでは「４」のフリック操作と「＊」にタップ操作である。
（１４）          本発明での「ば」行の選択はキー位置が「Ｂ」のフリック操作であるがテンキーでは「６」のフリック操作と「＊」にタップ操作である。
（１５）          本発明での「ぱ」行の選択はキー位置が「Ｐ」のフリック操作であるがテンキーでは「６」のフリック操作と「＊」を２回のタップ操作である。
（１６）          本発明での「あ」行の小文字の選択はキー位置が「Ｌ」のフリック操作であるがテンキーでは「１」のフリック操作と「＊」にタップ操作である。
（１７）          本発明での「つ」の小文字の選択はキー位置が「Ｘ」のフリック操作であるがテンキーでは「４」のフリック操作と「＊」にタップ操作である。
（１８）          本発明での「や」行の小文字の選択はキー位置が「Ｘ」のフリック操作であるがテンキーでは「８」のフリック操作と「＊」にタップ操作である。
（１９）          本発明での「１」「２」「３」の選択はキー位置が「Ｆ」のフリック操作であるがテンキーでは数字キーの画面に変更して各数字にタップ操作をして元の画面に戻る。
（２０）          本発明での「４」「５」「６」の選択はキー位置が「Ｃ」のフリック操作であるがテンキーでは数字キーの画面に変更して各数字にタップ操作をして元の画面に戻る。
（２１）          本発明での「７」「８」「９」の選択はキー位置が「Ｖ」のフリック操作であるがテンキーでは数字キーの画面に変更して各数字にタップ操作をして元の画面に戻る。
（２２）          本発明での「．」「０」「％」の選択はキー位置が「Ｊ」のフリック操作であるがテンキーでは数字キーの画面に変更して各数字などにタップ操作をして元の画面に戻る。
（２３）          本発明での「「、」「。」「？」「！」の選択はキー位置が「Ｑ」のフリック操作であるがテンキーでは「♯」のフリック操作である。
（２４）          本発明での小文字の「ぃ」の選択はキー位置が「Ｉ」か「Ｌ」のフリック操作であるがテンキーでは「１」のフリック操作と「＊」にタップ操作である。
（２５）          本発明での小文字の「ぅ」の選択はキー位置が「Ｕ」か「Ｌ」のフリック操作であるがテンキーでは「１」のフリック操作と「＊」にタップ操作である。
（２６）          本発明での小文字の「ぇ」の選択はキー位置が「Ｅ」か「Ｌ」のフリック操作であるがテンキーでは「１」のフリック操作と「＊」にタップ操作である。
（２７）          本発明での小文字の「ぉ」の選択はキー位置が「Ｏ」か「Ｌ」のフリック操作であるがテンキーでは「１」のフリック操作と「＊」にタップ操作である。
以上、本発明と従来のフリック操作の比較を記載した。
【実施例２】
【００２７】
実施例２では英字キーボードによるローマ字入力による入力の待ち受け状態から。
（１）子音英字キー操作により該当する子音英字を一時カーソルに転送する機能。
（２）子音英字キー操作によるタップ、フリック等により選択する操作対象文字の位置及び方向等を画面上に表示する機能（フリックガイド）。
（３）子音英字キーのタップによりフリックガイドで指定されている文字をカーソルに表示する機能。
（４）子音英字キーのフリック操作によりフリックガイドで指定されている文字をカーソルに表示する機能。
以上の組合せの実施により英字からの仮名変換処理後に文字が仮名漢字変換され日本語入力ができる。
【００２８】
図３０は縦方向に一部が表示されたタッチパネルにローマ字キーが表示されている縦用ローマ字キー（１）で左側の縦用ローマ字キー（１）では斜線で示された「Ｋ」のキーに接触しカーソルに転送されている状態で、該「Ｋ」のキーから右方向にフリックされ、右側の縦用ローマ字キー（１）のカーソルには「Ｋ」と「Ｅ」の英字が仮名変換され「け」の文字が表示されている。
【００２９】
続けて、図３１では、左側の縦用ローマ字キー（１）では斜線で示された「Ｎ」のキーに接触し「Ｎ」がカーソルに転送されている状態で、該「Ｎ」のキーのタップにより「Ｎ」が追加表示され、次の段階として右側の縦用ローマ字キー（１）では斜線で示された「Ｋ」のキーに接触しカーソルに転送されるが、英字の仮名変換機能により、「Ｎ」が「ん」に変換され、「Ｋ」が追加表示されている。
【００３０】
続けて、図３２では、左側の縦用ローマ字キー（１）では斜線で示された「Ｙ」のキーに接触し「Ｙ」がカーソルに転送されている状態で、該「Ｙ」のキーから上方向にフリックされ、次の段階として右側の縦用ローマ字キー（１）のカーソルには「Ｋ」と「Ｙ」と「Ｕ」による仮名変換により「きゅ」の文字が追加表示されている。
【００３１】
続けて、図３３では、左側の縦用ローマ字キー（１）では斜線で示された「Ｕ」のキーに接触しカーソルに転送されている状態で、該「Ｕ」のキーは母音英字なのでタップ操作になり、次の段階として右側の縦用ローマ字キー（１）のカーソルには仮名変換により「う」の文字が追加表示されている。
【００３２】
続けて、図３４では、左側の縦用ローマ字キー（１）では斜線で示された「Ｊ」のキーによるタップ操作で、次の段階として右側の縦用ローマ字キー（１）の斜線で示された「Ｙ」のキーに接触により「Ｙ」がカーソルに転送されている状態で、下方向にフリックされ「Ｏ」を表示し次の段階に移行する。
【００３３】
続けて、図３５では、左側の縦用ローマ字キー（１）のカーソルには「Ｊ」と「Ｙ」と「Ｏ」による仮名変換により「じょ」になり「けんきゅうじょ」の文字が表示されていて、ローマ字キー上部に表示されている予測変換候補の中から「研究所」の文字をタップし、次の段階として右側の縦用ローマ字キー（１）のカーソルに研究所の文字が仮名漢字変換により表示されている。
【実施例３】
【００３４】
実施例３では実施例２の機能に英字からの仮名変換処理後のカーソル上で、子音英字が３文字連続して表示された場合に先に入力された子音英字に「Ａ」の母音英字を合わせた仮名に変換、仮名と仮名に挟まれた子音英字があった場合に該子音英字に「Ａ」の母音英字を合わせた仮名に変換する機能を具備する。
【００３５】
図３６は横方向に表示されたタッチパネルにローマ字キーが表示されている横用ローマ字キー（２）で「Ｋ」のキーに接触しカーソルに転送されている状態でタップ操作に移行する。
【００３６】
続けて、図３７は横用ローマ字キー（２）で「Ｇ」のキーに接触しカーソルに転送されている状態でタップ操作に移行する。
【００３７】
続けて、図３８は横用ローマ字キー（２）で「Ｙ」のキーに接触しカーソルに転送されている状態で次に移行する。
【００３８】
続けて、図３９は横用ローマ字キー（２）のカーソル上に子音英字が３文字連続して表示されたので先に入力された「Ｋ」に「Ａ」の母音英字を合わせた「か」の仮名に変換した状態である。
【００３９】
続けて、図４０は横用ローマ字キー（２）で「Ｋ」のキーに接触しカーソルに転送されている状態でタップ操作に移行する。
【００４０】
続けて、図４１は横用ローマ字キー（２）のカーソル上に音英字が３文字連続して表示されたので先に入力された「Ｇ」に「Ａ」の母音英字を合わせた「が」の仮名に変換した状態で、上方向にフリックされ次の段階に移行する。
【００４１】
続けて、図４２は横用ローマ字キー（２）のカーソル上に上方向にフリック操作さにより英字から仮名変換により「Ｋ」と「Ｕ」による「く」の仮名が表示されている。
【００４２】
続けて、図４３は横用ローマ字キー（２）のカーソル上に仮名と仮名に挟まれた「Ｙ」の子音英字があったので「Ａ」の母音英字を合わせた「や」の仮名に変換され「かがやく」の文字が表示されていて、ローマ字キー上部に表示されている予測変換候補の中から「輝く」の文字をタップし、次の段階に移行する。
【００４３】
続けて、図４４は横用ローマ字キー（２）のカーソルに「輝く」の文字が仮名漢字変換により表示されている。
【実施例４】
【００４４】
実施例４では英字キーボードによるローマ字入力による入力の待ち受け状態から。
（１）子音英字キー操作により該当する子音英字を一時カーソルに転送する機能。
（２）子音英字キー操作によるタップ、フリック、スライド等により選択する操作対象文字の位置及び方向等を画面上に表示する機能（フリックガイド）。
（３）子音英字キーのタップによりフリックガイドで指定されている文字をカーソルに表示する機能。
（４）子音英字キーのフリック又はスライド操作により、該当する子音英字と選択された仮名の母音英字をカーソルに表示か、フリックガイドで指定されている文字をカーソルに表示する機能。
以上の組合せの実施により英字からの仮名変換処理後に文字が仮名漢字変換され日本語入力ができる。
【００４５】
子音英字「Ｙ」と「Ｎ」におけるスライド操作により外周文字が選択され表示する時は、先に「Ｘ」の文字をカーソルに表示後実施する。
【００４６】
子音英字「Ｓ」におけるスライド操作により外周文字が選択され表示する時は、選択された文字の母音英字をカーソルに表示する。
【００４７】
記号、数字等はフリックに表示される文字をカーソルに表示する。
【００４８】
図４５は横方向に表示されたタッチパネル上に子音英字キーが表示されている子音英字キー（３）である。
【００４９】
図４６は子音英字キー（３）で、キー操作により表示されるフリックガイドが該当するキーの上に表示されている図である。
【００５０】
図４７は子音英字キー（３）の「Ｋ」から「け」の文字方向にフリックし、「Ｋ」と「Ｅ」の文字をカーソルに表示され仮名の「け」に変換される（非表示）図である。
【００５１】
図４８は子音英字キー（３）の「Ｎ」キーをタップし、カーソルに「Ｎ」を表示させた（非表示）図である。
【００５２】
図４９は子音英字キー（３）の「Ｋ」キーをタップし、カーソルに「Ｋ」を表示させた図でカーソネ上で「Ｎ」が「ん」に変換されている（非表示）。
【００５３】
図５０は子音英字キー（３）の「Ｙ」キーから「きゅ」の方向にフリックし、「Ｙ」と「きゅ」の母音である「Ｕ」がカーソルに表示され、先に入力されている「Ｋ」と「Ｙ」と「Ｕ」で英字からの仮名変換により「きゅ」に変換される（非表示）図である。
【００５４】
図５１は子音英字キー（３）の「Ｓ」キーから「う」の文字位置にスライドする図で、「「Ｓ」におけるスライド操作により外周文字が選択され表示する時は、選択された文字の母音英字をカーソルに表示する」の規定により選択文字の母音英字の「Ｕ」をカーソルに表示するが、仮名変換により「う」の文字に変換される（非表示）図である。
【００５５】
図５２は子音英字キー（３）の「Ｚ」キーをタップし、カーソルに「Ｚ」を表示させた（非表示）図である。
【００５６】
図５３は子音英字キー（３）の「Ｙ」キーから「じょ」の方向にフリックし、「Ｙ」と「じょ」の母音である「Ｏ」がカーソルに表示され、先に入力されている「Ｚ」と「Ｙ」と「Ｏ」で英字からの仮名変換により「じょ」に変換される図で、カーソル上に「けんきゅうじょ」の文字が表示（非表示）されていて、仮名漢字変換により「研究所」と入力できる。
【００５７】
実施例4のカーソル上での文字の入力は、実施例２と同じである。
【００５８】
実施例４でのフリック機能は仮名の各行の５文字と、該行の子音英字を同時に選択できるのでローマ字からの選択と仮名文字からの選択が同時進行で併用入力が可能である。
【００５９】
通常、フリック、スライド等の操作により一文字を選択するが、該操作における初動でのキー選択を付加することで２個の文字が選択可能で、フリックガイドにより表示された文字以外の文字も選択可能で、フリックガイドによる表示文字も、同じキーからのフリックガイドでも毎回同じでなくカーソルにある文字や選択により変化するであろう文字を予め表示することが可能で、本発明はハードキーに対しても対応するものである。
【００６０】
辞書、端末機などのアルファベットキーなどにも対応可能である。
【図１】
2014232529.tif 000003
【図２】
2014232529.tif 000004
【図３】
2014232529.tif 000005
【図４】
2014232529.tif 000006
【図５】
2014232529.tif 000007
【図６】
2014232529.tif 000008
【図７】
2014232529.tif 000009
【図８】
2014232529.tif 000010
【図９】
2014232529.tif 000011
【図１０】
2014232529.tif 000012
【図１１】
2014232529.tif 000013
【図１２】
2014232529.tif 000014
【図１３】
2014232529.tif 000015
【図１４】
2014232529.tif 000016
【図１５】
2014232529.tif 000017
【図１６】
2014232529.tif 000018
【図１７】
2014232529.tif 000019
【図１８】
2014232529.tif 000020
【図１９】
2014232529.tif 000021
【図２０】
2014232529.tif 000022
【図２１】
2014232529.tif 000023
【図２２】
2014232529.tif 000024
【図２３】
2014232529.tif 000025
【図２４】
2014232529.tif 000026
【図２５】
2014232529.tif 000027
【図２６】
2014232529.tif 000028
【図２７】
2014232529.tif 000029
【図２８】
2014232529.tif 000030
【図２９】
2014232529.tif 000031
【図３０】
2014232529.tif 000032
【図３１】
2014232529.tif 000033
【図３２】
2014232529.tif 000034
【図３３】
2014232529.tif 000035
【図３４】
2014232529.tif 000036
【図３５】
2014232529.tif 000037
【図３６】
2014232529.tif 000038
【図３７】
2014232529.tif 000039
【図３８】
2014232529.tif 000040
【図３９】
2014232529.tif 000041
【図４０】
2014232529.tif 000042
【図４１】
2014232529.tif 000043
【図４２】
2014232529.tif 000044
【図４３】
2014232529.tif 000045
【図４４】
2014232529.tif 000046
【図４５】
2014232529.tif 000047
【図４６】
2014232529.tif 000048
【図４７】
2014232529.tif 000049
【図４８】
2014232529.tif 000050
【図４９】
2014232529.tif 000051
【図５０】
2014232529.tif 000052
【図５１】
2014232529.tif 000053
【図５２】
2014232529.tif 000054
【図５３】
2014232529.tif 000055
【手続補正書】
【提出日】平成26年10月16日(2014.10.16)
【手続補正１】
【補正対象書類名】特許請求の範囲
【補正対象項目名】全文
【補正方法】変更
【補正の内容】
【特許請求の範囲】
【請求項１】
キー配置が固定された英字表記のキーボードによる日本語入力において、仮名漢字変換方法又は、英字を仮名に変換する仮名変換方式を具備するローマ字入力で、カーソル上で文字の入力待ち状態から実施するが、子音キーによる各キー操作のタップ（押下げ）による該当キーの子音と「Ａ」からなる仮名文字の選択、フリックによる該当キーの子音と「Ｉ」、「Ｕ」、「Ｅ」、「Ｏ」の各１文字からなる仮名文字の選択、「Ｌ」キーによるキー操作により「Ｌ」と「Ａ」、「Ｉ」、「Ｕ」、「Ｅ」、「Ｏ」の各１文字による仮名変換方式からなる仮名文字の選択、「Ｘ」キーによるキー操作により「Ｘ」と「ＴＵ」、「ＹＡ」、「ＹＵ」、「ＹＯ」の各１組の文字による仮名変換方式からなる仮名文字の選択による文字入力と該当する仮名文字を表示して方向を示したフリックガイドを具備した入力方法であって、子音キーによる各キー操作のタップ（押下げ）により該当子音をカーソルに入力と、フリックにより該当子音をカーソルに入力と選択された「Ｉ」、「Ｕ」、「Ｅ」、「Ｏ」の各１文字をカーソルに入力と、仮名変換方式の「Ｌ」と「Ｘ」キーにより選択される仮名小文字と同じ綴りの英字をタップ、フリック、スライド操作により選択するか該当する仮名小文字を直にタップ、フリック、スライド操作の選択による文字入力と該当する英字と仮名文字を表示して方向を示したフリックガイドを具備した入力方法にあって、仮名変換処理後にカーソル上で子音英字が３文字連続して表示された場合に最初の子音英字に「Ａ」の母音英字を合わせた仮名に変換する事と仮名と仮名に挟まれた一文字の子音英字があった場合に該子音英字に「Ａ」の母音英字を合わせた仮名に変換する機能とを任意による組合せにより実施する事を特徴とする子音英字キーからの母音英字及び仮名によるフリック操作方法。